(57)【特許請求の範囲】
【請求項１】
受信したデジタル放送番組をＩＰネットワークに再送信する配信制御システムにおける送出側装置であって、
デジタル放送の放送波を受信して復調し、該放送信号を格納した多重化音響動画圧縮符号化ストリームを出力する復調手段と、
前記復調手段から出力された放送信号中のサービス情報からＨＤＴＶ（Ｈｉｇｈ  Ｄｅｆｉｎｉｔｉｏｎ  Ｔｅｌｅｖｉｓｉｏｎ）チャネル運用とＳＤＴＶ（Ｓｔａｎｄａｒｄ  Ｄｅｆｉｎｉｔｉｏｎ  Ｔｅｌｅｖｉｓｉｏｎ）チャネル運用のスケジュールを特定し、該スケジュールに対応したマルチキャストアドレスのリスト情報をアドレス情報として生成するアドレス情報生成手段と、
前記復調手段から出力された映像をＨ．２６４方式で符号化変換し、該変換された映像を音声、字幕とともにトランスコード信号として出力するトランスコード手段と、
前記復調手段、アドレス情報生成手段およびトランスコード手段の各出力を入力とし、復調手段から入力された放送信号に多重されている、各チャネルの構成要素を示すＰＭＴ（Ｐｒｏｇｒａｍ  Ｍａｐ  Ｔａｂｌｅ）の内容を解析し、ＨＤＴＶチャネル運用時には、前記トランスコード手段の出力と放送信号中のデータ放送、ＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）を多重し、その結果の多重化音響動画圧縮符号化ストリームの中に、前記アドレス情報生成手段で生成されたアドレス情報を多重して複数のＩＰ（Ｉｎｔｅｒｎｅｔ  Ｐｒｏｔｏｃｏｌ）化送出手段のうちいずれかのＩＰ化送出手段に引き渡し、ＳＤＴＶチャネル運用時には、復調手段から入力された多重化音響動画圧縮符号化ストリームの中に前記アドレス情報生成手段で生成されたアドレス情報を多重した放送信号を、チャネル毎に複数のＩＰ化送出手段にそれぞれ振り分けて引き渡す選択多重手段と、
前記選択多重手段から引き渡された多重化音響動画圧縮符号化ストリームをＩＰマルチキャストパケットに格納し、各ＩＰ化送出手段毎に一つのマルチキャストアドレスを付与して送出する複数のＩＰ化送出手段と
を備えたことを特徴とする配信制御システムにおける送出側装置。
【請求項２】
デジタル放送の放送波を受信し復調した放送信号中のサービス情報からＨＤＴＶ（Ｈｉｇｈ  Ｄｅｆｉｎｉｔｉｏｎ  Ｔｅｌｅｖｉｓｉｏｎ）チャネル運用とＳＤＴＶ（Ｓｔａｎｄａｒｄ  Ｄｅｆｉｎｉｔｉｏｎ  Ｔｅｌｅｖｉｓｉｏｎ）チャネル運用のスケジュールを特定し、該スケジュールに対応したマルチキャストアドレスのリスト情報をアドレス情報として生成するアドレス情報生成手段と、
前記復調した放送信号に多重されている、各チャネルの構成要素を示すＰＭＴ（Ｐｒｏｇｒａｍ  Ｍａｐ  Ｔａｂｌｅ）の内容を解析し、ＨＤＴＶチャネル運用時には、前記放送信号中の映像をＨ．２６４方式で符号化変換した映像とデータ放送、ＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）を多重し、その結果の多重化音響動画圧縮符号化ストリームの中に、前記アドレス情報生成手段で生成されたアドレス情報を多重して複数のＩＰ（Ｉｎｔｅｒｎｅｔ  Ｐｒｏｔｏｃｏｌ）化送出手段のうちいずれかのＩＰ化送出手段に引き渡し、ＳＤＴＶチャネル運用時には、前記復調した放送信号の中に前記アドレス情報生成手段で生成されたアドレス情報を多重した多重化音響動画圧縮符号化ストリームを、チャネル毎に複数のＩＰ化送出手段にそれぞれ振り分けて引き渡す選択多重手段と、
前記選択多重手段から引き渡された多重化音響動画圧縮符号化ストリームをＩＰマルチキャストパケットに格納し、各ＩＰ化送出手段毎に一つのマルチキャストアドレスを付与して送出する複数のＩＰ化送出手段とを有する送出側装置を備えた配信制御システムにおける受信端末であって、
前記送出側装置から伝送されたマルチキャストストリーム中に多重されたアドレス情報を取得するアドレス情報取得手段と、
前記アドレス情報取得手段により取得されたアドレス情報を参照し、ユーザが選局したチャネルに対応したマルチキャストストリームを受信する受信手段と
を備えたことを特徴とする配信制御システムにおける受信端末。
【請求項３】
受信したデジタル放送番組をＩＰネットワークに再送信する配信制御システムにおける送出方法であって、
復調手段が、デジタル放送の放送波を受信して復調し、該放送信号を格納した多重化音響動画圧縮符号化ストリームを出力する復調ステップと、
アドレス情報生成手段が、前記復調ステップにより出力された放送信号中のサービス情報からＨＤＴＶ（Ｈｉｇｈ  Ｄｅｆｉｎｉｔｉｏｎ  Ｔｅｌｅｖｉｓｉｏｎ）チャネル運用とＳＤＴＶ（Ｓｔａｎｄａｒｄ  Ｄｅｆｉｎｉｔｉｏｎ  Ｔｅｌｅｖｉｓｉｏｎ）チャネル運用のスケジュールを特定し、該スケジュールに対応したマルチキャストアドレスのリスト情報をアドレス情報として生成するアドレス情報生成ステップと、
トランスコード手段が、前記復調ステップにより出力された映像をＨ．２６４方式で符号化変換し、該変換された映像を音声、字幕とともにトランスコード信号として出力するトランスコードステップと、
選択多重手段が、前記復調ステップにより復調された放送信号に多重されている、各チャネルの構成要素を示すＰＭＴ（Ｐｒｏｇｒａｍ  Ｍａｐ  Ｔａｂｌｅ）の内容を解析し、ＨＤＴＶチャネル運用時には、前記トランスコードステップにより変換された映像と放送信号中のデータ放送、ＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）を多重し、その結果の多重化音響動画圧縮符号化ストリームの中に、前記アドレス情報生成ステップにより生成されたアドレス情報を多重して複数のＩＰ（Ｉｎｔｅｒｎｅｔ  Ｐｒｏｔｏｃｏｌ）化送出手段のうちいずれかのＩＰ化送出手段に引き渡し、ＳＤＴＶチャネル運用時には、前記復調ステップにより復調された多重化音響動画圧縮符号化ストリームの中に前記アドレス情報生成ステップにより生成されたアドレス情報を多重した放送信号を、チャネル毎に複数のＩＰ化送出手段にそれぞれ振り分けて引き渡す選択多重ステップと、
ＩＰ化送出手段が、前記選択多重ステップにより引き渡された多重化音響動画圧縮符号化ストリームをＩＰマルチキャストパケットに格納し、各ＩＰ化送出手段毎に一つのマルチキャストアドレスを付与して送出する複数のＩＰ化送出ステップと
を備えたことを特徴とする配信制御システムにおける送出方法。
【請求項４】
デジタル放送の放送波を受信し復調した放送信号中のサービス情報からＨＤＴＶ（Ｈｉｇｈ  Ｄｅｆｉｎｉｔｉｏｎ  Ｔｅｌｅｖｉｓｉｏｎ）チャネル運用とＳＤＴＶ（Ｓｔａｎｄａｒｄ  Ｄｅｆｉｎｉｔｉｏｎ  Ｔｅｌｅｖｉｓｉｏｎ）チャネル運用のスケジュールを特定し、該スケジュールに対応したマルチキャストアドレスのリスト情報をアドレス情報として生成するアドレス情報生成手段と、
前記復調した放送信号に多重されている、各チャネルの構成要素を示すＰＭＴ（Ｐｒｏｇｒａｍ  Ｍａｐ  Ｔａｂｌｅ）の内容を解析し、ＨＤＴＶチャネル運用時には、前記放送信号中の映像をＨ．２６４方式で符号化変換した映像とデータ放送、ＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）を多重し、その結果の多重化音響動画圧縮符号化ストリームの中に、前記アドレス情報生成手段で生成されたアドレス情報を多重して複数のＩＰ（Ｉｎｔｅｒｎｅｔ  Ｐｒｏｔｏｃｏｌ）化送出手段のうちいずれかのＩＰ化送出手段に引き渡し、ＳＤＴＶチャネル運用時には、前記復調した放送信号の中に前記アドレス情報生成手段で生成されたアドレス情報を多重した多重化音響動画圧縮符号化ストリームを、チャネル毎に複数のＩＰ化送出手段にそれぞれ振り分けて引き渡す選択多重手段と、
前記選択多重手段から引き渡された多重化音響動画圧縮符号化ストリームをＩＰマルチキャストパケットに格納し、各ＩＰ化送出手段毎に一つのマルチキャストアドレスを付与して送出する複数のＩＰ化送出手段とを有する送出側装置を備えた配信制御システムにおける受信方法であって、
アドレス情報取得手段が、前記送出側装置から伝送されたマルチキャストストリーム中に多重されたアドレス情報を取得するアドレス情報取得ステップと、
受信手段が、前記アドレス情報取得ステップにより取得されたアドレス情報を参照し、ユーザが選局したチャネルに対応したマルチキャストストリームを受信する受信ステップと
を備えたことを特徴とする配信制御システムにおける受信方法。
【請求項５】
コンピュータを請求項１又は２に記載の各手段として機能させるためのプログラム。
【請求項６】
コンピュータを請求項１又は２に記載の各手段として機能させるためのプログラムを記録したコンピュータ読み取り可能な記録媒体。
【発明の詳細な説明】
【技術分野】
【０００１】
本発明は、複数の映像、音声、字幕、データ放送、ＰＣＲ（Ｐｒｏｇｒａｍ  Ｃｌｏｃｋ  Ｒｅｆｅｒｅｎｃｅ）、ＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）などから構成されるデジタル放送番組をＩＰネットワークに再送信する際に、チャネル毎の送出帯域を低減する配信制御システムにおける送出側装置および受信端末に関するものである。
【背景技術】
【０００２】
複数チャネルにおよぶ高品質・大容量のデジタル放送番組を放送波以外の他のネットワーク上で再送信する際には、伝送容量の増大が課題となる。特にＩＰマルチキャストを活用したＩＰネットワーク上での再送信においては、ユーザのアクセスライン上に伝送できる信号の総量が制限される可能性があり、ユーザの選択したチャネルのみをアクセスラインに送信する方式が取られる。
【０００３】
受信機は、ユーザが選択したチャネルを伝送するＩＰマルチキャストストリームのマルチキャストアドレスに対して、ストリーム受信要求を行い、これに基づいてネットワークから、ユーザの選択したチャネルを伝送するＩＰマルチキャストストリームのみがアクセスラインに送信される。
【０００４】
さらに、複数のユーザが一つのアクセスラインを共有したり、一つの受信機から視聴と別番組の同時録画を実行する場合等では、アクセスライン上に送信されるＩＰマルチキャストストリームが複数になるため、１マルチキャストストリームあたりの伝送容量をできるだけ低減する必要がある。
【０００５】
これを解決する方法として、ＭＰＥＧ−２（Ｍｏｖｉｎｇ  Ｐｉｃｔｕｒｅ  Ｅｘｐｅｒｔｓ  Ｇｒｏｕｐ  ｐｈａｓｅ  ２）で符号化された映像をさらに圧縮効率の高い、Ｈ．２６４方式で符号変換する方法がある。この場合、デジタル放送では、複数の番組ストリームが１つのＭＰＥＧ−２  ＴＳ（Ｔｒａｎｓｐｏｒｔ  Ｓｔｒｅａｍ）（多重化音響動画圧縮符号化ストリームの一種）に多重されるため、それぞれの番組の映像を符号化変換（トランスコード）する必要がある。
【０００６】
従来の複数のＭＰＥＧ−２映像に対応するトランスコードシステムの構成を図７に示す。図７において、１はデジタル放送を伝送する放送波を受信して復調しＭＰＥＧ−２  ＴＳを出力する復調部である。２Ｈは、前記復調部１の出力のうち、全帯域を使ったＨＤＴＶチャネルのＭＰＥＧ−２映像をＨ．２６４で符号化変換し、音声、字幕とともに出力するトランスコード部である。
【０００７】
２Ｓ１〜２Ｓ３は、前記復調部１の出力のうち、全帯域を複数のチャネルで分割したＳＤＴＶチャネルのＭＰＥＧ−２映像をＨ．２６４で符号化変換し、音声、字幕とともに出力するトランスコード部である。
【０００８】
３は、前記復調部１の出力のうちデータ放送、ＰＳＩ／ＳＩ等を抽出するデータ処理部である。
【０００９】
４は、データ処理部３から出力されるデータ放送、ＰＳＩ／ＳＩ等とトランスコード部２Ｈ，２Ｓ１〜２Ｓ３から出力されるＨ．２６４映像、音声、字幕とを、多重化制御部５からの制御信号によって、同期をとって多重化し、ＭＰＥＧ−２  ＴＳを出力する多重化部である。尚多重化制御部５は復調部１から入力された放送信号から制御信号を生成している。
【００１０】
６は、多重化部４から引き渡されたＭＰＥＧ−２  ＴＳをＩＰマルチキャストパケットに格納して送出するＩＰ化送出部である。
【００１１】
また従来の配信制御システムにおける受信機側の処理は例えば図８のフローチャートに沿って実行される。すなわち、ユーザのチャネル選局を受付け（ステップＳ１）、サービスＩＤからアドレス情報を参照し、受信するマルチキャストアドレスを特定し（ステップＳ２）、該当のマルチキャストストリームに受信要求し（ステップＳ３）、マルチキャストストリームを受信する（ステップＳ４）。
【００１２】
デジタル放送では、マルチ編成と呼ばれる、時間帯によって、全帯域を使ってＨＤＴＶチャネルを配信したり、全帯域を複数のチャネルで分割してＳＤＴＶチャネルを配信する。ＨＤＴＶチャネル運用の場合や、ＳＤＴＶチャネル運用で最大数のチャネル分割が実施されない場合においても、論理的なチャネルは複数存在し、それぞれのチャネルの構成情報を示すＰＭＴ（Ｐｒｏｇｒａｍ  Ｍａｐ  Ｔａｂｌｅ）に、各チャネルの構成ストリームとして、同一の映像、音声、データ放送ストリームが記述される。
【００１３】
これにより、デジタル放送受信機は、あたかも内容が同一の番組が複数チャネルで提供されているように視聴者に提示することができる。従来方式はこのようなマルチ編成のＨＤＴＶ／複数ＳＤＴＶ切替に対応してトランスコードを実現する方法であり、全てのチャネルのＭＰＥＧ−２映像をＨ．２６４でトランスコードし、ＭＰＥＧ−２  ＴＳ全体の伝送容量を低減するものである。
【００１４】
尚、従来のデジタル放送コンテンツの再配信システムは例えば特許文献１に記載のものが提案されている。
【特許文献１】特開２００７−３１２３０１号公報
【発明の開示】
【発明が解決しようとする課題】
【００１５】
従来技術は、ＳＤＴＶのそれぞれの映像についても、ＭＰＥＧ−２映像からＨ．２６４に符号化変換するものであり、予め、ＨＤＴＶ、ＳＤＴＶのチャネル数分、トランスコード設備を準備する必要があり、設備構築コストが増大するという課題がある。
【００１６】
複数のＳＤＴＶチャネルを多重せずにチャネル別に１マルチキャストストリームとして送信すると、１マルチキャストストリームあたりの帯域は、ＨＤＴＶチャネルをトランスコードした場合と同程度の伝送容量となるため、トランスコード設備を設置する必要がなくなる。
【００１７】
しかし、一方で、マルチキャストアドレスとストリームの対応関係を示す図９に示すように、従来方式では、マルチ編成の運用状況によらず、常に同一のマルチキャストアドレスで全てのチャネルが受信可能となる（図９の（Ｉ））のに対し、複数のＳＤＴＶチャネルを多重せずにチャネル毎に１マルチキャストストリームとして送信した場合には、マルチ編成の運用状況に応じて、各チャネルを受信するためのマルチキャストアドレスが変動する（図９の（ＩＩ））。
【００１８】
このため、受信機では、ユーザが選択したチャネルと受信すべきマルチキャストアドレスの対応関係が把握できなくなり、チャネル選局ができないという課題が発生する。
【００１９】
本発明は上記課題を解決するものであり、その目的は、伝送容量を低減するとともに、マルチキャストアドレスが変動してもユーザが選択したチャネルを受信することができる、配信制御システムにおける送出側装置、配信制御システムにおける受信端末、プログラムおよびそのプログラムを記録した記録媒体を提供することにある。
【課題を解決するための手段】
【００２０】
本発明では、配信制御システムにおいて、放送波に含まれるサービス情報の中から、事前に、マルチ編成の運用状況を抽出し、その運用状況に対応した受信マルチキャストストリームのアドレス情報を受信機（受信端末）に送信する。受信機では、送信されるアドレス情報により、マルチキャストアドレスが変動した場合も、受信するマルチキャストストリームを特定できる。以上により、番組をチャネル毎に１マルチキャストストリームとして送信可能とし、トランスコード設備を必要とせずに、アクセスライン上で伝送される信号の伝送容量を低減でき、従来技術の課題を解決できる構成とした。
【００２１】
すなわち、請求項１記載の配信制御システムにおける送出側装置は、受信したデジタル放送番組をＩＰネットワークに再送信する配信制御システムにおける送出側装置であって、デジタル放送の放送波を受信して復調し、該放送信号を格納した多重化音響動画圧縮符号化ストリームを出力する復調手段と、前記復調手段から出力された放送信号中のサービス情報からＨＤＴＶ（Ｈｉｇｈ  Ｄｅｆｉｎｉｔｉｏｎ  Ｔｅｌｅｖｉｓｉｏｎ）チャネル運用とＳＤＴＶ（Ｓｔａｎｄａｒｄ  Ｄｅｆｉｎｉｔｉｏｎ  Ｔｅｌｅｖｉｓｉｏｎ）チャネル運用のスケジュールを特定し、該スケジュールに対応したマルチキャストアドレスのリスト情報をアドレス情報として生成するアドレス情報生成手段と、前記復調手段から出力された映像をＨ．２６４方式で符号化変換し、該変換された映像を音声、字幕とともにトランスコード信号として出力するトランスコード手段と、前記復調手段、アドレス情報生成手段およびトランスコード手段の各出力を入力とし、復調手段から入力された放送信号に多重されている、各チャネルの構成要素を示すＰＭＴ（Ｐｒｏｇｒａｍ  Ｍａｐ  Ｔａｂｌｅ）の内容を解析し、ＨＤＴＶチャネル運用時には、前記トランスコード手段の出力と放送信号中のデータ放送、ＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）を多重し、その結果の多重化音響動画圧縮符号化ストリームの中に、前記アドレス情報生成手段で生成されたアドレス情報を多重して複数のＩＰ（Ｉｎｔｅｒｎｅｔ  Ｐｒｏｔｏｃｏｌ）化送出手段のうちいずれかのＩＰ化送出手段に引き渡し、ＳＤＴＶチャネル運用時には、復調手段から入力された多重化音響動画圧縮符号化ストリームの中に前記アドレス情報生成手段で生成されたアドレス情報を多重した放送信号を、チャネル毎に複数のＩＰ化送出手段にそれぞれ振り分けて引き渡す選択多重手段と、前記選択多重手段から引き渡された多重化音響動画圧縮符号化ストリームをＩＰマルチキャストパケットに格納し、各ＩＰ化送出手段毎に一つのマルチキャストアドレスを付与して送出する複数のＩＰ化送出手段とを備えたことを特徴としている。
【００２２】
また請求項２記載の配信制御システムにおける受信端末は、デジタル放送の放送波を受信し復調した放送信号中のサービス情報からＨＤＴＶ（Ｈｉｇｈ  Ｄｅｆｉｎｉｔｉｏｎ  Ｔｅｌｅｖｉｓｉｏｎ）チャネル運用とＳＤＴＶ（Ｓｔａｎｄａｒｄ  Ｄｅｆｉｎｉｔｉｏｎ  Ｔｅｌｅｖｉｓｉｏｎ）チャネル運用のスケジュールを特定し、該スケジュールに対応したマルチキャストアドレスのリスト情報をアドレス情報として生成するアドレス情報生成手段と、前記復調した放送信号に多重されている、各チャネルの構成要素を示すＰＭＴ（Ｐｒｏｇｒａｍ  Ｍａｐ  Ｔａｂｌｅ）の内容を解析し、ＨＤＴＶチャネル運用時には、前記放送信号中の映像をＨ．２６４方式で符号化変換した映像とデータ放送、ＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）を多重し、その結果の多重化音響動画圧縮符号化ストリームの中に、前記アドレス情報生成手段で生成されたアドレス情報を多重して複数のＩＰ（Ｉｎｔｅｒｎｅｔ  Ｐｒｏｔｏｃｏｌ）化送出手段のうちいずれかのＩＰ化送出手段に引き渡し、ＳＤＴＶチャネル運用時には、前記復調した放送信号の中に前記アドレス情報生成手段で生成されたアドレス情報を多重した多重化音響動画圧縮符号化ストリームを、チャネル毎に複数のＩＰ化送出手段にそれぞれ振り分けて引き渡す選択多重手段と、前記選択多重手段から引き渡された多重化音響動画圧縮符号化ストリームをＩＰマルチキャストパケットに格納し、各ＩＰ化送出手段毎に一つのマルチキャストアドレスを付与して送出する複数のＩＰ化送出手段とを有する送出側装置を備えた配信制御システムにおける受信端末であって、前記送出側装置から伝送されたマルチキャストストリーム中に多重されたアドレス情報を取得するアドレス情報取得手段と、前記アドレス情報取得手段により取得されたアドレス情報を参照し、ユーザが選局したチャネルに対応したマルチキャストストリームを受信する受信手段とを備えたことを特徴としている。
【００２５】
また請求項３記載の配信制御システムにおける送出方法は、受信したデジタル放送番組をＩＰネットワークに再送信する配信制御システムにおける送出方法であって、復調手段が、デジタル放送の放送波を受信して復調し、該放送信号を格納した多重化音響動画圧縮符号化ストリームを出力する復調ステップと、アドレス情報生成手段が、前記復調ステップにより出力された放送信号中のサービス情報からＨＤＴＶ（Ｈｉｇｈ  Ｄｅｆｉｎｉｔｉｏｎ  Ｔｅｌｅｖｉｓｉｏｎ）チャネル運用とＳＤＴＶ（Ｓｔａｎｄａｒｄ  Ｄｅｆｉｎｉｔｉｏｎ  Ｔｅｌｅｖｉｓｉｏｎ）チャネル運用のスケジュールを特定し、該スケジュールに対応したマルチキャストアドレスのリスト情報をアドレス情報として生成するアドレス情報生成ステップと、トランスコード手段が、前記復調ステップにより出力された映像をＨ．２６４方式で符号化変換し、該変換された映像を音声、字幕とともにトランスコード信号として出力するトランスコードステップと、選択多重手段が、前記復調ステップにより復調された放送信号に多重されている、各チャネルの構成要素を示すＰＭＴ（Ｐｒｏｇｒａｍ  Ｍａｐ  Ｔａｂｌｅ）の内容を解析し、ＨＤＴＶチャネル運用時には、前記トランスコードステップにより変換された映像と放送信号中のデータ放送、ＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）を多重し、その結果の多重化音響動画圧縮符号化ストリームの中に、前記アドレス情報生成ステップにより生成されたアドレス情報を多重して複数のＩＰ（Ｉｎｔｅｒｎｅｔ  Ｐｒｏｔｏｃｏｌ）化送出手段のうちいずれかのＩＰ化送出手段に引き渡し、ＳＤＴＶチャネル運用時には、前記復調ステップにより復調された多重化音響動画圧縮符号化ストリームの中に前記アドレス情報生成ステップにより生成されたアドレス情報を多重した放送信号を、チャネル毎に複数のＩＰ化送出手段にそれぞれ振り分けて引き渡す選択多重ステップと、ＩＰ化送出手段が、前記選択多重ステップにより引き渡された多重化音響動画圧縮符号化ストリームをＩＰマルチキャストパケットに格納し、各ＩＰ化送出手段毎に一つのマルチキャストアドレスを付与して送出する複数のＩＰ化送出ステップとを備えたことを特徴としている。
【００２６】
また請求項４記載の配信制御システムにおける受信方法は、デジタル放送の放送波を受信し復調した放送信号中のサービス情報からＨＤＴＶ（Ｈｉｇｈ  Ｄｅｆｉｎｉｔｉｏｎ  Ｔｅｌｅｖｉｓｉｏｎ）チャネル運用とＳＤＴＶ（Ｓｔａｎｄａｒｄ  Ｄｅｆｉｎｉｔｉｏｎ  Ｔｅｌｅｖｉｓｉｏｎ）チャネル運用のスケジュールを特定し、該スケジュールに対応したマルチキャストアドレスのリスト情報をアドレス情報として生成するアドレス情報生成手段と、前記復調した放送信号に多重されている、各チャネルの構成要素を示すＰＭＴ（Ｐｒｏｇｒａｍ  Ｍａｐ  Ｔａｂｌｅ）の内容を解析し、ＨＤＴＶチャネル運用時には、前記放送信号中の映像をＨ．２６４方式で符号化変換した映像とデータ放送、ＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）を多重し、その結果の多重化音響動画圧縮符号化ストリームの中に、前記アドレス情報生成手段で生成されたアドレス情報を多重して複数のＩＰ（Ｉｎｔｅｒｎｅｔ  Ｐｒｏｔｏｃｏｌ）化送出手段のうちいずれかのＩＰ化送出手段に引き渡し、ＳＤＴＶチャネル運用時には、前記復調した放送信号の中に前記アドレス情報生成手段で生成されたアドレス情報を多重した多重化音響動画圧縮符号化ストリームを、チャネル毎に複数のＩＰ化送出手段にそれぞれ振り分けて引き渡す選択多重手段と、前記選択多重手段から引き渡された多重化音響動画圧縮符号化ストリームをＩＰマルチキャストパケットに格納し、各ＩＰ化送出手段毎に一つのマルチキャストアドレスを付与して送出する複数のＩＰ化送出手段とを有する送出側装置を備えた配信制御システムにおける受信方法であって、アドレス情報取得手段が、前記送出側装置から伝送されたマルチキャストストリーム中に多重されたアドレス情報を取得するアドレス情報取得ステップと、受信手段が、前記アドレス情報取得ステップにより取得されたアドレス情報を参照し、ユーザが選局したチャネルに対応したマルチキャストストリームを受信する受信ステップとを備えたことを特徴としている。
【００２９】
また請求項５記載のプログラムは、コンピュータを請求項１又は２に記載の各手段として機能させるためのプログラムである。
【００３０】
また請求項６記載の記録媒体は、コンピュータを請求項１又は２に記載の各手段として機能させるためのプログラムを記録したコンピュータ読み取り可能な記録媒体である。
【００３１】
上記構成によれば、時間帯に対応したマルチキャストアドレス情報であるアドレス情報が送信されることによって、ＨＤＴＶチャネル又はＳＤＴＶチャネルの各運用状況に関わらず、受信端末においてユーザが選局したチャネルを伝送するマルチキャストストリームを要求して受信することができる。
【発明の効果】
【００３２】
（１）請求項１〜６に記載の発明によれば、時間帯に対応したマルチキャストアドレス情報であるアドレス情報が送信されることによって、ＨＤＴＶチャネル又はＳＤＴＶチャネルの各運用状況に関わらず、受信端末においてユーザが選局したチャネルを伝送するマルチキャストストリームを要求して受信することができる。
【００３３】
また、送出装置の構成が簡素化され、データ伝送に要する伝送容量など必要となるハードウェア資源を削減することができる。
【００３４】
また、ＳＤＴＶチャネル伝送のときは、トランスコードの処理を不要としているので、トランスコードに伴う遅延の発生を回避することができる。
（２）また請求項１〜６に記載の発明によれば、デジタル放送中のＰＳＩ／ＳＩから、マルチ編成におけるＨＤＴＶチャネル運用とＳＤＴＶチャネル運用を特定し、ＨＤＴＶチャネル運用の場合は、ＭＰＥＧ−２映像をＨ．２６４でトランスコードしてＩＰマルチキャスト送信し、ＳＤＴＶチャネル運用の場合は、ＭＰＥＧ−２映像のまま、チャネル毎にＩＰマルチキャスト送信することで、最低限のトランスコード設備のみで、伝送容量の低減効果を得ることができる。
【発明を実施するための最良の形態】
【００３５】
以下、図面を参照しながら本発明の実施の形態を説明するが、本発明は下記の実施形態例に限定されるものではない。
【００３６】
（実施例１）
受信したデジタル放送のうち、ＨＤＴＶチャネルの映像はトランスコードし、ＳＤＴＶチャネルは個別のマルチキャストストリームで送信することで、１チャネルあたりのマルチキャスト伝送容量を低減する本発明の実施例を示す。本実施例において、システムに入力される番組は、映像、音声、字幕、データ放送、ＰＣＲ、ＰＳＩ／ＳＩなどから構成される。
【００３７】
本実施例における配信制御システムの全体構成を図１に示す。本システムは、復調手段としての復調部１０、アドレス情報生成手段としてのアドレス情報生成部１１、トランスコード手段としてのトランスコード部１２、選択多重手段としての選択多重部１３、ＩＰ化送出手段としてのＩＰ化送出部１４ａ〜１４ｃから構成されている。尚ＩＰ化送出部１４ａ〜１４ｃの個数は４以上でもよい。
【００３８】
また図示省略の受信機（本発明の受信端末）は、ＩＰネットワークに接続される例えばコンピュータ端末から成り、アドレス情報を取得するアドレス情報取得手段と、ユーザの選局チャネルに対応したマルチキャストストリームを受信する受信手段を備えている。
【００３９】
復調部１０は、デジタル放送を伝送する放送波を受信して復調し、放送信号を格納したＭＰＥＧ−２  ＴＳを分配して出力する機能を有する。
【００４０】
アドレス情報生成部１１は、放送信号中のサービス情報から、ＨＤＴＶチャネル運用とＳＤＴＶチャネル運用のスケジュールを特定し、スケジュールに対応したマルチキャストアドレスのリスト情報を生成する機能を有する。
【００４１】
トランスコード部１２は、放送信号中のＨＤＴＶのＭＰＥＧ−２映像をＨ．２６４にトランスコードし、音声、字幕とともに、トランスコード信号として出力する機能を有する。
【００４２】
選択多重部１３は、放送信号中のＰＭＴの内容に従って、以下のようにＭＰＥＧ−２  ＴＳを出力する。  
【００４３】
（Ａ）ＨＤＴＶチャネル運用時に、トランスコード部１２からの出力と、放送信号中のデータ放送、ＰＳＩ／ＳＩを多重してＩＰ化送出部１４ａ〜１４ｃのいずれかに受け渡す、
（Ｂ）ＳＤＴＶチャネル運用時に、放送信号中の、映像、音声、字幕、データ放送、ＰＳＩ／ＳＩをチャネル毎に、ＩＰ化送出部１４ａ、ＩＰ化送出部１４ｂ、ＩＰ化送出部１４ｃにそれぞれ振り分けて引き渡す。ＩＰ化送出部１４ａ〜１４ｃは、選択多重部１３から引き渡されたＭＰＥＧ−２  ＴＳをＩＰマルチキャストパケットに格納して送出する。送出部毎に一つのマルチキャストアドレスを付与する。
【００４４】
次に本実施例におけるシステムの動作を図２のフローチャートとともに説明する。まずステップＳ１１において、復調部１０は、デジタル放送を伝送する放送波を受信して復調し、ＭＰＥＧ−２  ＴＳ形式で、放送信号を、アドレス情報生成部１１、トランスコード部１２、選択多重部１３に出力する。
【００４５】
次にステップＳ１２において、アドレス情報生成部１１は、復調部１０から入力されたサービス情報のうち、ＥＩＴ（Ｅｖｅｎｔ  Ｉｎｆｏｒｍａｔｉｏｎ  Ｔａｂｌｅ）を参照し、ＨＤＴＶチャネル運用と、複数ＳＤＴＶチャネル運用される時間帯を特定する。
【００４６】
この際、まず各チャネルに対応するＥＩＴ[ｓｃｈｅｄｕｌｅ]を取得し、イベントグループ記述子以外の記述子の有無を確認する。イベントグループ記述子以外の記述子が存在しない番組が放送されている時間帯は、ＨＤＴＶチャネル運用だと判定する。逆に、いずれのチャネルにおいてもイベントグループ記述子以外の記述子が存在する時間帯は、ＳＤＴＶチャネル運用だと判定する。
【００４７】
次にステップＳ１３において、前記のように判定したＨＤＴＶチャネル運用、ＳＤＴＶチャネル運用の時間帯情報から、現在の運用切替日時とマルチキャストアドレス一覧をセットにして繰り返したアドレス情報を生成し、選択多重部１３に受け渡す。
【００４８】
アドレス情報の構造の一例を図３に示す。ＨＤＴＶチャネル運用時は、全てのチャネルに同一のマルチキャストアドレスが記述され、ＳＤＴＶチャネル運用時は、チャネル毎に個別のマルチキャストアドレスが記述されることとなる。ＥＩＴが更新されれば、マルチ編成切替の判定処理は繰り返し実行することとする。マルチ編成切替時刻が検出されれば、再度アドレス情報を生成し、これを選択多重部１３に引き渡す。
【００４９】
トランスコード部１２では、ＨＤＴＶチャネルのＭＰＥＧ−２映像をＨ．２６４でトランスコードして出力する。Ｈ．２６４映像と、音声、字幕、ＰＣＲを同期した上で出力する。
【００５０】
次にステップＳ１５において、選択多重部１３では、復調部１０から入力される放送信号をＭＰＥＧ−２  ＴＳパケットとして受信する。受信したＴＳパケット中に多重されるＰＡＴ（Ｐｒｏｇｒａｍ  Ａｓｓｏｃｉａｔｅ  Ｔａｂｌｅ）を抽出し、ＰＡＴに記述されたＰＭＴ  ＰＩＤ（Ｐａｃｋｅｔ  Ｉｄｅｎｔｉｆｉｅｒ）を有するＴＳパケットからＰＭＴを抽出する。抽出したＰＭＴの内容を解析して、バージョン番号を取得し、バージョン番号がこれまでに受信済みのＰＭＴのバージョン番号と異なる場合は、以下の処理を実行する。受信したバージョン番号を受信済みＰＭＴバージョン番号として保持する。全てのチャネルに対応するＰＭＴに記述された映像ＥＳ（Ｅｌｅｍｅｎｔａｒｙ  Ｓｔｒｅａｍ）のＰＩＤを比較した結果により、以下のとおり、出力するＭＰＥＧ−２  ＴＳを切り替える。
【００５１】
全ての映像ＥＳのＰＩＤが同一の場合は、トランスコード部１２からの出力（映像、音声、字幕、ＰＣＲ）と放送信号中のデータ放送、ＰＳＩ／ＳＩを同期させて多重し、その結果出力されるＭＰＥＧ−２  ＴＳをＩＰ化送出部１４ａ〜１４ｃのいずれかに固定的に引き渡す。
【００５２】
映像のＰＩＤが異なる場合には、放送信号中の、映像、音声、字幕、データ放送、ＰＳＩ／ＳＩをチャネル毎に、ＩＰ化送出部１４ａ、ＩＰ化送出部１４ｂ、ＩＰ化送出部１４ｃにそれぞれ振り分けて引き渡す。
【００５３】
いずれの場合も、ＰＭＴのＰＩＤ比較結果で判定した時点（ステップＳ１５）で切替を行うのではなく、ＰＭＴ判定後に、実際の映像ＥＳのＰＩＤ変化点を監視し（ステップＳ１６）、該当のＰＩＤが発生または消滅したタイミングを切替点として、上記の切替処理（ステップＳ１７）を実行する。
【００５４】
また選択多重部１３では、ステップＳ１８において、アドレス情報生成部１１から引き渡されたアドレス情報を、ＭＰＥＧ−２  ＴＳの中に多重し、番組と合わせてＩＰ化送出部１４ａ〜１４ｃに引き渡す。
【００５５】
次にステップＳ１９において、ＩＰ化送出部１４ａ〜１４ｃは、選択多重部１３から引き渡されたＭＰＥＧ−２  ＴＳをＩＰマルチキャストパケットに格納して送出する。このとき前記送出部毎に一つのマルチキャストアドレスを付与する。
【００５６】
次に受信機での処理を図４のフローチャートとともに説明する。  
【００５７】
受信機では、マルチキャストストリーム中に多重されたアドレス情報を取得する。まずステップＳ２１において、リモコン等からユーザの選局を受け付けた際に、保持したアドレス情報を現在の時刻に照らし合わせて、現在受信要求すべきマルチキャストアドレスのリストを特定し（ステップＳ２２）、ユーザが選択したチャネルに対応したマルチキャストストリームを要求し（ステップＳ２３）、該マルチキャストストリームを受信する（ステップＳ２４）。
【００５８】
その後はステップＳ２５においてＰＡＴ／ＰＭＴを解析し、選局されたチャネルの番組を再生開始する。
【００５９】
またステップＳ２６〜Ｓ２８に示すように、受信したマルチキャストストリーム中でアドレス情報が更新された場合は、保持中のアドレス情報を上書き更新する。
【００６０】
図５は本実施例による帯域の圧縮例を示しており、全チャネル同一アドレスの場合（図５（Ｉ））、ストリームは１２Ｍｂｐｓであるが、チャネル単位にアドレスが変動する場合（図５（ＩＩ））、チャネル毎に６Ｍｂｐｓの１マルチキャストストリームとして各々送信することができ、伝送容量を低減することができる。
【００６１】
（実施例２）
前記実施例１において、ＨＤＴＶチャネルの映像はトランスコード部１２により符号化変換していたが、本実施例２ではこのトランスコード部１２を図６のように削除し、ハードウェア資源をさらに削減した。
【００６２】
図６において図１と異なる点は、トランスコード部１２を削除するとともに、選択多重部１３の代わりに新たな機能を有する選択多重部２３を設けた点にあり、その他の部分は図１と同一に構成されている。
【００６３】
この選択多重部２３は、復調部１０およびアドレス情報生成部１１の各出力を入力とし、復調部１０から入力された放送信号に多重されている、各チャネルの構成要素を示すＰＭＴ（Ｐｒｏｇｒａｍ  Ｍａｐ  Ｔａｂｌｅ）の内容を解析し、前記復調部１０から入力された多重化音響動画圧縮符号化ストリームの中に、前記アドレス情報生成部１１で生成されたアドレス情報を多重し、該アドレス情報が多重化された多重化音響動画圧縮符号化ストリームを、ＨＤＴＶチャネル運用時には複数のＩＰ化送出部１４ａ〜１４ｃのうちいずれかのＩＰ化送出部に引き渡し、ＳＤＴＶチャネル運用時には、チャネル毎に複数のＩＰ化送出部１４ａ〜１４ｃにそれぞれ振り分けて引き渡す機能を備えている。
【００６４】
図６の送出側装置の動作は図２のフローチャートと同様に行われるが、ステップＳ１４のトランスコードは行わない。
【００６５】
また図２のステップＳ１５〜Ｓ１７は以下の動作に変更となる。すなわち、選択多重部２３では、復調部１０から入力される放送信号をＭＰＥＧ−２  ＴＳパケットとして受信する。受信したＴＳパケット中に多重されるＰＡＴ（Ｐｒｏｇｒａｍ  Ａｓｓｏｃｉａｔｅ  Ｔａｂｌｅ）を抽出し、ＰＡＴに記述されたＰＭＴ  ＰＩＤ（Ｐａｃｋｅｔ  Ｉｄｅｎｔｉｆｉｅｒ）を有するＴＳパケットからＰＭＴを抽出する。抽出したＰＭＴの内容を解析して、バージョン番号を取得し、バージョン番号がこれまでに受信済みのＰＭＴのバージョン番号と異なる場合は、以下の処理を実行する。受信したバージョン番号を受信済みＰＭＴバージョン番号として保持する。全てのチャネルに対応するＰＭＴに記述された映像ＥＳ（Ｅｌｅｍｅｎｔａｒｙ  Ｓｔｒｅａｍ）のＰＩＤを比較した結果により、以下のとおり、出力するＭＰＥＧ−２  ＴＳを切り替える。
【００６６】
全ての映像ＥＳのＰＩＤが同一の場合は、復調部１０からのＭＰＥＧ−２  ＴＳをＩＰ化送出部１４ａ〜１４ｃのいずれかに固定的に引き渡す。
【００６７】
映像のＰＩＤが異なる場合には、放送信号中の、映像、音声、字幕、データ放送、ＰＳＩ／ＳＩをチャネル毎に、ＩＰ化送出部１４ａ、ＩＰ化送出部１４ｂ、ＩＰ化送出部１４ｃにそれぞれ振り分けて引き渡す。
【００６８】
いずれの場合も、ＰＭＴのＰＩＤ比較結果で判定した時点（ステップＳ１５）で切替を行うのではなく、ＰＭＴ判定後に、実際の映像ＥＳのＰＩＤ変化点を監視し（ステップＳ１６）、該当のＰＩＤが発生または消滅したタイミングを切替点として、上記の切替処理（ステップＳ１７）を実行する。
【００６９】
尚受信機側の構成、動作は実施例１と同様である。  
【００７０】
図６の構成によれば、ＨＤＴＶチャネルの場合は放送波と同等の伝送帯域を必要とするが、ＳＤＴＶチャネルの場合は、１チャネル分だけを伝送することになり、伝送帯域を低減（元が３チャネルの場合３分の１）出来るという効果を得ることができる。
【００７１】
さらに、トランスコードの処理が全くないので、トランスコードに伴う遅延発生を回避することができる。
【００７２】
また、本実施形態の配信制御システムにおける送出側装置、配信制御システムにおける受信端末、における各手段の一部もしくは全部の機能をコンピュータのプログラムで構成し、そのプログラムをコンピュータを用いて実行して本発明を実現することができること、本実施形態の配信制御システムにおける送出方法、配信制御システムにおける受信方法における手順をコンピュータのプログラムで構成し、そのプログラムをコンピュータに実行させることができることは言うまでもなく、コンピュータでその機能を実現するためのプログラムを、そのコンピュータが読み取り可能な記録媒体、例えばＦＤ（Ｆｌｏｐｐｙ（登録商標）  Ｄｉｓｋ）や、ＭＯ（Ｍａｇｎｅｔｏ−Ｏｐｔｉｃａｌ  ｄｉｓｋ）、ＲＯＭ（Ｒｅａｄ  Ｏｎｌｙ  Ｍｅｍｏｒｙ）、メモリカード、ＣＤ（Ｃｏｍｐａｃｔ  Ｄｉｓｋ）−ＲＯＭ、ＤＶＤ（Ｄｉｇｉｔａｌ  Ｖｅｒｓａｔｉｌｅ  Ｄｉｓｋ）−ＲＯＭ、ＣＤ−Ｒ、ＣＤ−ＲＷ，ＨＤＤ，リムーバブルディスクなどに記録して、保存したり、配布したりすることが可能である。また、上記のプログラムをインターネットや電子メールなど、ネットワークを通して提供することも可能である。
【図面の簡単な説明】
【００７３】
【図１】本発明を用いた配信制御システムの一例を示す構成図。
【図２】本発明を用いた配信制御システムにおける送出側装置の処理を示すフローチャート。
【図３】本発明で用いるアドレス情報の一例を示す説明図。
【図４】本発明を用いた配信制御システムにおける受信機側の処理を示すフローチャート。
【図５】本発明による伝送帯域の効率化の効果を示す説明図。
【図６】本発明を用いた配信制御システムの他の例を示す構成図。
【図７】従来の映像トランスコードシステムの一例を示す構成図。
【図８】従来の映像トランスコードシステムにおける受信機側の処理を示すフローチャート。
【図９】マルチキャストアドレスとストリームの対応関係を示す説明図。
【符号の説明】
【００７４】
１０…復調部、１１…アドレス情報生成部、１２…トランスコード部、１３、２３…選択多重部、１４ａ〜１４ｃ…ＩＰ化送出部。
【図１】
0005084547.tif 000002
【図２】
0005084547.tif 000003
【図３】
0005084547.tif 000004
【図４】
0005084547.tif 000005
【図５】
0005084547.tif 000006
【図６】
0005084547.tif 000007
【図７】
0005084547.tif 000008
【図８】
0005084547.tif 000009
【図９】
0005084547.tif 000010